(57)【要約】 【課題】  異なる規格の複数の光記録媒体に対応することができ、製品個体間の特性のばらつきが小さく安価で、かつ小型化することのできる光ピックアップ装置を提供する。【解決手段】  光ピックアップ装置２０は、波長がそれぞれ異なる光を出射する第１および第２受発光一体型素子２１，２２を備え、異なる規格の複数の光記録媒体２８に情報を記録／再生することができる。この光ピックアップ装置２０では、第１および第２受発光一体型素子２１，２２と、第１および第２受発光一体型素子２１，２２から出射される第１および第２光２９，３１を対物レンズ２３へと導く立上ミラー２４とは、第１および第２光２９，３１が、いずれも光軸３０，３２を曲げられることなく立上ミラー２４へ入射するように配置される。したがって、光ピックアップ装置２０には、光軸同一化部材が含まれない。【選択図】      図１
2005259205.tif 000002
【特許請求の範囲】
【請求項１】
光を利用して光記録媒体に対して情報を記録、再生および消去のうち少なくとも１つを行うことのできる光ピックアップ装置において、
一仮想平面内に設けられて波長がそれぞれ異なる光を出射する複数の光源と、
光源から出射される光を光記録媒体の情報記録面に集光する対物レンズと、
光源と対物レンズとの間であって光源から出射される光の光路上に設けられ、光源から出射される光を対物レンズへ導く光反射部材とを含み、
複数の光源と光反射部材とは、
複数の光源からそれぞれ出射される光が、いずれも光軸を曲げられることなく光反射部材へ入射するように配置され、
複数の光源のうち予め選択される１つの光源を除く残余の光源から出射される光の光軸を、光源と光反射部材とを結ぶ光路の途中で曲げることによって、複数の光源からそれぞれ出射される光の光軸を同一にする光軸同一化部材を有しないことを特徴とする光ピックアップ装置。
【請求項２】
予め選択される１つの光源と残余の光源とは、
予め選択される１つの光源から出射される光の光軸に対して、残余の光源から出射される光の光軸の成す角度が、５度以上４５度以下または−４５度以上−５度以下になるように設けられることを特徴とする請求項１記載の光ピックアップ装置。
【請求項３】
予め選択される１つの光源は、
予め選択される１つの光源から出射される光の光軸の延びる方向が、光源が光記録媒体に対して相対移動する方向に対して直交するように設けられることを特徴とする請求項２記載の光ピックアップ装置。
【請求項４】
予め選択される１つの光源から出射される光の波長が、
残余の光源から出射される光の波長よりも短いことを特徴とする請求項１〜３のいずれか１つに記載の光ピックアップ装置。
【請求項５】
複数設けられる光源のうち少なくとも１つは、
相異なる複数の波長の光を出射することができる多波長光源であることを特徴とする請求項１〜４のいずれか１つに記載の光ピックアップ装置。
【請求項６】
光反射部材は、
複数の光源からそれぞれ出射される光に対応して形成される複数の反射面であって、複数の光源からそれぞれ出射される光をそれぞれ反射して対物レンズへ導くことのできる複数の反射面を有することを特徴とする請求項１〜５のいずれか１つに記載の光ピックアップ装置。
【請求項７】
複数の光源のうち、いずれの光源から光が出射されているかを検出する出射光源検出手段と、
一仮想平面に平行な平面内で光反射部材を、光反射部材における光軸の反射点をとおり前記平面に対して垂直に延びる軸線まわりに角変位移動させる角変位駆動手段と、
出射光源検出手段の検出出力に応答し、光反射部材に形成される光反射面が光源から出射される光を反射して対物レンズへ導くことができるように角変位駆動手段の動作を制御する角変位動作制御手段とを含むことを特徴とする請求項１〜５のいずれか１つに記載の光ピックアップ装置。
【請求項８】
複数の光源のうち、いずれの光源から光が出射されているかを検出する出射光源検出手段と、
複数の光源が装着される基板と、
一仮想平面に平行な平面内で前記基板を、光反射部材における光軸の反射点をとおり前記平面に対して垂直に延びる軸線まわりに周回移動させる周回駆動手段と、
出射光源検出手段の検出出力に応答し、光源から出射される光を、光反射部材へ入射し光反射部材によって対物レンズへ導くことができるように周回駆動手段の動作を制御する周回動作制御手段とを含むことを特徴とする請求項１〜５のいずれか１つに記載の光ピックアップ装置。
【請求項９】
対物レンズが保持されるアクチュエータと、
対物レンズのレンズ軸が光記録媒体の情報記録面に対する傾斜角度を変更するようにアクチュエータを傾動させる傾動手段と、
残余の光源から出射される光の収差を検出する収差検出手段と、
収差検出手段の検出出力に応答し、残余の光源から出射される光の収差を小さくするように傾動手段の動作を制御する傾動動作制御手段とを含むことを特徴とする請求項３〜５のいずれか１つに記載の光ピックアップ装置。
【発明の詳細な説明】
【技術分野】
【０００１】
本発明は、光を利用して光記録媒体に対して情報を記録、再生および消去のうち少なくとも１つを行うことのできる光ピックアップ装置に関する。
【背景技術】
【０００２】
近年、情報記録の分野においては、光学情報記録方式に関する技術の進展に著しいものがある。この光学情報記録方式は、非接触で記録／再生が行えること、また再生専用型、追記型、書換え可能型などそれぞれのメモリ形態に対応できること等、数々の利点を有するので、安価な大容量メディアを実現し得るものとして、産業用から民生用まで幅広い用途が考えられている。
【０００３】
光学情報記録方式に用いられる記録媒体としては、コンパクトディスク（略称ＣＤ）、デジタルバーサタイルディスク（略称ＤＶＤ）などの光ディスク、またミニディスク（略称ＭＤ）などの光磁気ディスクが、挙げられる。ここでは、光学情報記録方式に用いられるこれらの記録媒体を総称して光記録媒体と呼ぶ。
【０００４】
光記録媒体の情報記録面上に情報を記録または情報記録面上の情報を再生もしくは消去するための光ピックアップ装置が種々提案され、最近では、単一種類の光記録媒体の記録／再生／消去にとどまらず、規格の異なる光記録媒体であるたとえばＣＤとＤＶＤとに対応することのできるＣＤ／ＤＶＤ互換型の光ピックアップ装置が製品化されるに至っている。
【０００５】
図９は規格の異なる２種類の光記録媒体に対して互換可能な従来の光ピックアップ装置１の構成を簡略化して示す側面図であり、図１０は図９に示す従来の光ピックアップ装置１の平面図である。従来の光ピックアップ装置１は、波長がそれぞれ異なる２つの第１および第２受発光一体型素子２，３と、ダイクロイックビームスプリッタ４（略称ＤＢＳ）と、コリメートレンズ５と、立上ミラー６と、４分の１（１／４）波長板７と、対物レンズ８と、前記の各光学部品が装着される筐体９とを含む構成である。
【０００６】
従来の光ピックアップ装置１によれば、第１受発光一体型素子２から出射された第１のレーザビーム１１は、ＤＢＳ４を透過し、コリメートレンズ５により平行光となり、立上ミラー６により直角に折り曲げられ、１／４波長板７を透過後、対物レンズ８によって光記録媒体１０の情報記録面に集光される。光記録媒体１０によって反射された第１のレーザビーム１１は、ＤＢＳ４を透過し第１受発光一体型素子２において信号を検出される。
【０００７】
また、第２受発光一体型素子３から出射された第２のレーザビーム１２は、ＤＢＳ４によって反射され、その後第１のレーザビーム１１と同様の光路をたどった後、ＤＢＳ４によって反射されて第２受発光一体型素子３において信号を検出される。
【０００８】
このような従来の光ピックアップ装置１において、第１受発光一体型素子２と第２受発光一体型素子３とは、それぞれから出射されるレーザビームの光軸同士が直交するように配置されるので、２次元的に大きな配置面積を必要とする。したがって、従来の光ピックアップ装置１のような構成では、装置を小型化するには限界がある。
【０００９】
このような問題を解決する従来技術に、光ビーム合成手段と呼ぶＤＢＳに入射する第１のレーザビームの光軸と、第２のレーザビームの光軸との成す角度が、９０°未満になるようにして配置して装置の小型化を図るものがある（特許文献１参照）。
【００１０】
しかしながら、特許文献１に開示される技術では、第１のレーザビームの光軸と、第２のレーザビームの光軸との成す角度は、８０°前後が好ましいとされているので、２つの受発光一体型素子の配置面積を大幅に縮小することは困難である。
【００１１】
また、特許文献１に開示される光ピックアップ装置においても、２つの異なる受発光一体型素子からそれぞれ出射されるレーザビームの光軸を同一にするためにＤＢＳを必須とする。このＤＢＳは、繊細な光学部品であり、たとえばその反射／透過率特性をコントロールする成膜は極めて難しく、また温度による変化も大きい。したがって、ＤＢＳは、個体毎の特性のばらつきが大きく、その価格も高価である。
【００１２】
なお、ＤＢＳの代わりにビームスプリッタ（略称ＢＳ）を使用してもよいけれども、ＢＳを用いる場合、ＤＢＳを用いる場合に比べて光量が減少するので、光ピックアップ装置の性能が低下するという問題があり、特に情報を記録するときに光量が不足するのは致命的である。
【００１３】
また光ピックアップ装置に関するもう一つの従来技術では、光源と受光素子とが一体化した光学ユニットを立上ミラーよりも光記録媒体に近接させる構成、すなわち光源から出射されるレーザビームの光軸と、立上ミラーで反射されて光記録媒体へ向うレーザビームの光軸との成す角度が鋭角になるようにして、装置の薄型化を図るものがある（特許文献２参照）。
【００１４】
特許文献２に開示される光ピックアップ装置は、ある程度の薄型化を実現し、ＤＢＳを有しないので個体間のばらつきが無いという利点があるけれども、１種類の規格の光記録媒体にしか対応できないタイプであり、規格の異なる２種類の光記録媒体に対応することができないという問題がある。
【００１５】
【特許文献１】特開平１１−１４９６５６号公報
【特許文献２】特開平１０−１７７７３５号公報
【発明の開示】
【発明が解決しようとする課題】
【００１６】
本発明の目的は、異なる規格の複数の光記録媒体に対応することができ、また光軸を同一化する部材を有しないので製品個体間の特性のばらつきが小さく安価で、かつ小型化することのできる光ピックアップ装置を提供することである。
【課題を解決するための手段】
【００１７】
本発明は、光を利用して光記録媒体に対して情報を記録、再生および消去のうち少なくとも１つを行うことのできる光ピックアップ装置において、
一仮想平面内に設けられて波長がそれぞれ異なる光を出射する複数の光源と、
光源から出射される光を光記録媒体の情報記録面に集光する対物レンズと、
光源と対物レンズとの間であって光源から出射される光の光路上に設けられ、光源から出射される光を対物レンズへ導く光反射部材とを含み、
複数の光源と光反射部材とは、
複数の光源からそれぞれ出射される光が、いずれも光軸を曲げられることなく光反射部材へ入射するように配置され、
複数の光源のうち予め選択される１つの光源を除く残余の光源から出射される光の光軸を、光源と光反射部材とを結ぶ光路の途中で曲げることによって、複数の光源からそれぞれ出射される光の光軸を同一にする光軸同一化部材を有しないことを特徴とする光ピックアップ装置である。
【００１８】
また本発明は、予め選択される１つの光源と残余の光源とは、
予め選択される１つの光源から出射される光の光軸に対して、残余の光源から出射される光の光軸の成す角度が、５度以上４５度以下または−４５度以上−５度以下になるように設けられることを特徴とする。
【００１９】
また本発明は、予め選択される１つの光源は、
予め選択される１つの光源から出射される光の光軸の延びる方向が、光源が光記録媒体に対して相対移動する方向に対して直交するように設けられることを特徴とする。
【００２０】
また本発明は、予め選択される１つの光源から出射される光の波長が、残余の光源から出射される光の波長よりも短いことを特徴とする。
【００２１】
また本発明は、複数設けられる光源のうち少なくとも１つは、相異なる複数の波長の光を出射することができる多波長光源であることを特徴とする。
【００２２】
また本発明は、光反射部材は、
複数の光源からそれぞれ出射される光に対応して形成される複数の反射面であって、複数の光源からそれぞれ出射される光をそれぞれ反射して対物レンズへ導くことのできる複数の反射面を有することを特徴とする。
【００２３】
また本発明は、複数の光源のうち、いずれの光源から光が出射されているかを検出する出射光源検出手段と、
一仮想平面に平行な平面内で光反射部材を、光反射部材における光軸の反射点をとおり前記平面に対して垂直に延びる軸線まわりに角変位移動させる角変位駆動手段と、
出射光源検出手段の検出出力に応答し、光反射部材に形成される光反射面が光源から出射される光を反射して対物レンズへ導くことができるように角変位駆動手段の動作を制御する角変位動作制御手段とを含むことを特徴とする。
【００２４】
また本発明は、複数の光源のうち、いずれの光源から光が出射されているかを検出する出射光源検出手段と、
複数の光源が装着される基板と、
一仮想平面に平行な平面内で前記基板を、光反射部材における光軸の反射点をとおり前記平面に対して垂直に延びる軸線まわりに周回移動させる周回駆動手段と、
出射光源検出手段の検出出力に応答し、光源から出射される光を、光反射部材へ入射し光反射部材によって対物レンズへ導くことができるように周回駆動手段の動作を制御する周回動作制御手段とを含むことを特徴とする。
【００２５】
また本発明は、対物レンズが保持されるアクチュエータと、
対物レンズのレンズ軸が光記録媒体の情報記録面に対する傾斜角度を変更するようにアクチュエータを傾動させる傾動手段と、
残余の光源から出射される光の収差を検出する収差検出手段と、
収差検出手段の検出出力に応答し、残余の光源から出射される光の収差を小さくするように傾動手段の動作を制御する傾動動作制御手段とを含むことを特徴とする。
【発明の効果】
【００２６】
本発明によれば、光ピックアップ装置は、波長がそれぞれ異なる光を出射する複数の光源と、光源から出射される光を対物レンズへ導く光反射部材とが、複数の光源からそれぞれ出射される光が、いずれも光軸を曲げられることなく光反射部材へ入射するように配置され、しかも複数の光源からそれぞれ出射される光の光軸を同一にする光軸同一化部材を有しないように構成される。このように構成される光ピックアップ装置では、それぞれの光源から出射される光を、たとえば光軸同一化部材でその光軸を曲げて同一化する必要がないので、複数の光源それぞれから出射される光の光軸同士が、直交するように配置しなくてもよい。したがって、複数の光源を配置するための２次元的な配置面積を小さくすることが可能になり、装置を小型化することができる。また光軸同一化部材を有しない構成なので、装置個体間の特性のばらつきを抑えることができる。
【００２７】
また本発明によれば、予め選択される１つの光源と残余の光源とは、予め選択される１つの光源から出射される光の光軸に対して、残余の光源から出射される光の光軸の成す角度が、５度以上４５度以下または−４５度以上−５度以下になるように設けられる。さらに、好ましくは、予め選択される１つの光源から出射される光の光軸の延びる方向が、光源が光記録媒体に対して相対移動する方向に対して直交するように設けられる。このことによって、複数の光源を、光源が光記録媒体に対して相対移動する方向に集約した領域に配置することが可能になり、装置の一層の小型化を実現することができる。
【００２８】
また本発明によれば、予め選択される１つの光源から出射される光の波長が、残余の光源から出射される光の波長よりも短くなるように、各光源が選定される。特に、収差を生じやすい最短波長の光を出射する光源が、その光軸を、光源が光記録媒体に対して相対移動する方向に対して直交するように配置されることによって、最短波長の光における収差の発生が抑制されるので、品質の良い光情報を得ることが可能になる。
【００２９】
また本発明によれば、複数設けられる光源のうち少なくとも１つは、相異なる複数の波長の光を出射することができる多波長光源である。このことによって、異なる規格の複数種類の光記録媒体に対応して設ける光源の数を少なくすることができるので、装置を小型化することができる。
【００３０】
また本発明によれば、光反射部材であるたとえば立上ミラーは、複数の光源からそれぞれ出射される光をそれぞれ反射して対物レンズへ導くことのできる複数の反射面を有するように構成される。このことによって、複数の光源からそれぞれ出射される光をひずみ無く光記録媒体の情報記録面に集光することが可能になるので、装置の記録／再生特性が向上する。
【００３１】
また本発明によれば、光源から出射される光を、光反射部材の好適位置へ入射させることができるように構成され、複数の光源からそれぞれ出射される光をひずみ無く光記録媒体の情報記録面に集光することが可能になるので、装置の記録／再生特性が向上する。
【００３２】
また本発明によれば、対物レンズが保持されるアクチュエータを、残余の光源から出射される光の収差を小さくするように傾動動作させることが可能に構成されるので、装置の記録／再生特性が向上する。
【発明を実施するための最良の形態】
【００３３】
図１は、本発明の実施の一形態である光ピックアップ装置２０の構成を簡略化して示す平面図である。光ピックアップ装置２０は、一仮想平面内に設けられて波長がそれぞれ異なる光を出射する２つの第１および第２光源２１，２２と、第１および第２光源２１，２２から出射される光を光記録媒体２８の情報記録面に集光する対物レンズ２３と、第１および第２光源２１，２２と対物レンズ２３との間であって、第１および第２光源２１，２２から出射される光の光路上に設けられ、第１および第２光源２１，２２から出射される光を対物レンズ２３へ導く光反射部材２４と、第１および第２光源２１，２２と光反射部材２４との間の光路上に配置され、第１および第２光源２１，２２からそれぞれ出射される光を平行光にする第１および第２コリメートレンズ２５，２６と、前記の各部材が装着されるハウジング２７とを含んで構成される。この光ピックアップ装置２０は、光を利用して光記録媒体２８に対して情報を記録、再生および消去のうち少なくとも１つを行うことに利用される。
【００３４】
以下、光ピックアップ装置２０における方向を示す図１中に記載のＸ方向およびＹ方向について説明する。Ｙ方向は、ハウジング２７とともに、ハウジング２７に装着される第１および第２光源２１，２２、第１および第２コリメートレンズ２５，２６ならびに光反射部材２４が、光記録媒体２８に対して相対的に移動する方向であり、光記録媒体２８の半径方向に相当するのでラジアル方向と呼ぶこともある。Ｘ方向は、図１の平面図上でＹ方向に直交する方向であり、光記録媒体２８に形成されるトラックの接線方向に平行なのでタンジェンシャル方向と呼ぶこともある。これらのＸ（タンジェンシャル）方向およびＹ（ラジアル）方向の定義は、本明細書を通じて共通に用いられる。
【００３５】
第１および第２光源２１，２２は、レーザ光を出射することのできる半導体レーザチップと、光を受光して電気信号に変換するたとえばフォトダイオードなどからなる受光素子とが一体化された受発光一体型素子である。したがって、以後、光源のことを受発光一体型素子と呼ぶ。このような受発光一体型素子は、たとえばホログラム素子またはレーザカプラなどによって実現される。
【００３６】
本実施の形態では、第１受発光一体型素子２１として、たとえばＢｌｕ−ｒａｙディスク用の波長４０５ｎｍの青紫色レーザを用い、第２受発光一体型素子２２として、ＤＶＤ用の波長６５０ｎｍの赤色レーザとＣＤ用の波長７８０ｎｍの赤外レーザとを備える２波長レーザが用いられる。
【００３７】
なお第１受発光一体型素子２１と第２受発光一体型素子２２との組合せは、上記の組合せに限定されるものでない。第１受発光一体型素子２１として、波長４０５ｎｍの青紫色レーザを用い、第２受発光一体型素子２２として、波長６５０ｎｍの赤色レーザを用いる組合せであってもよい。
【００３８】
第１および第２受発光一体型素子２１，２２から出射される光を反射し、その光路を約９０度折曲げることによって対物レンズ２３へ導く光反射部材２４は、たとえば立上ミラーによって実現される。本実施の形態の立上ミラー２４は、略三角柱状の形状を有し、光反射面が１つで構成される。ハウジング２７は、たとえばアルミニウム合金製のケーシング部材であり、不図示の棒状支持部材によって光ピックアップ装置２０の装置本体にＹ（ラジアル）方向へ摺動自在に支持される。
【００３９】
本発明の光ピックアップ装置２０は、第１および第２受発光一体型素子２１，２２と立上ミラー２４とが、以下のように配置されることを特徴とする。第１受発光一体型素子２１から出射される第１光２９が、その第１光軸３０を曲げられることなく立上ミラー２４へ入射するように配置され、また第２受発光一体型素子２２から出射される第２光３１が、その第２光軸３２を曲げられることなく立上ミラー２４へ入射するように配置される。
【００４０】
すなわち、光ピックアップ装置２０は、第２受発光一体型素子２２から出射される第２光３１の第２光軸３２を、第２受発光一体型素子２２と立上ミラー２４とを結ぶ光路の途中で曲げることによって、第１受発光一体型素子２１から出射される第１光２９の第１光軸３０と同一にする光軸同一化部材であるたとえばＤＢＳまたはＢＳを有しないことを特徴とする。
【００４１】
また光ピックアップ装置２０におけるもう一つの特徴は、第１受発光一体型素子２１から出射される第１光２９の第１光軸３０の延びる方向がＸ（タンジェンシャル）方向に平行になるように、第１受発光一体型素子２１が設けられ、第１受発光一体型素子２１から出射される第１光２９の第１光軸３０に対して、第２受発光一体型素子２２から出射される第２光３１の第２光軸３２の成す角度θ１が、５度以上４５度以下になるように、第２受発光一体型素子２２が設けられることである。本実施の形態の光ピックアップ装置２０では、前記角度θ１は、約２０度になるように第１受発光一体型素子２１と第２受発光一体型素子２２とが設けられる。なお、本明細書では、Ｘ（タンジェンシャル）方向を基準にして、時計まわり方向の角度を正（＋）、反時計まわり方向の角度を負（−）で表す。
【００４２】
この第１受発光一体型素子２１と第２受発光一体型素子２２とを設けるに際しては、第１コリメートレンズ２５が、第２光３１の有効光束領域に含まれないように、また第２コリメートレンズ２６が、第１光２９の有効光束領域に含まれないように配置される。なお、ここで有効光束領域とは、光軸に対して垂直な断面において、ある一定水準以上の光強度を有し、情報の記録／再生／消去に用いることのできるレーザビームの領域のことを言う。
【００４３】
このように構成される光ピックアップ装置２０では、第１および第２受発光一体型素子２１，２２から出射される光を、ＤＢＳまたはＢＳなどの光軸同一化部材でその光軸を曲げて同一化する必要がないので、第１光軸３０と第２光軸３２とが直交するように配置しなくてもよい。第１受発光一体型素子２１の第１光軸３０がＸ（タンジェンシャル）方向と平行になるように、第２受発光一体型素子２２の第２光軸３２が、第１光軸３０に対して約２０度の傾斜角度を有するように、第１および第２受発光一体型素子２１，２２が、ハウジング２７に装着される。したがって、第１および第２受発光一体型素子２１，２２を配置するための面積を小さく、特にＹ（ラジアル）方向に集約することが可能になり、装置の小型化が実現される。
【００４４】
以下光ピックアップ装置２０の動作について説明する。光記録媒体２８が、Ｂｌｕ−ｒａｙディスクであるとき、第１受発光一体型素子２１から第１光２９を出射し、第１光２９は、第１コリメートレンズ２５を透過して平行光となり、立上ミラー２４で反射されて直角に折曲げられ、対物レンズ２３によって光記録媒体２８の情報記録面に集光される。光記録媒体２８で反射された第１光２９は、往路と同様の経路をたどり、第１受発光一体型素子２１に備わる受光素子で信号検出される。
【００４５】
一方、光記録媒体２８が、ＤＶＤまたはＣＤであるとき、第２受発光一体型素子２２から第２光３１を出射し、第２光３１は、第２コリメートレンズ２６を透過して平行光となり、立上ミラー２４で反射されて直角に折曲げられ、対物レンズ２３によって光記録媒体２８の情報記録面に集光される。光記録媒体２８で反射された第２光３１は、往路と同様の経路をたどり、第２受発光一体型素子２２に備わる受光素子で信号検出される。
【００４６】
図２は、本発明の実施の第２形態である光ピックアップ装置に備わる立上ミラー３３を示す斜視図である。本実施の形態の光ピックアップ装置は、立上ミラー３３を除いて、実施の第１形態の光ピックアップ装置２０と同一に構成されるので、図示および説明を省略する。
【００４７】
立上ミラー３３は、第１受発光一体型素子２１から出射される第１光２９を反射して対物レンズ２３へ導く第１反射面３４と、第２受発光一体型素子２２から出射される第２光３１を反射して対物レンズ２３へ導く第２反射面３５との、２つの反射面を有することを特徴とする。
【００４８】
このように、立上ミラー３３には、第１および第２受発光一体型素子２１，２２から、それぞれ出射される第１および第２光２９，３１を、対物レンズ２３へそれぞれ導くのに好適な反射角度を有する２つの反射面３４，３５が形成される。したがって、第１および第２受発光一体型素子２１，２２からそれぞれ出射される第１および第２光２９，３１を、ひずみ無く光記録媒体２８の情報記録面に集光することが可能になるので、装置の記録／再生特性が向上する。
【００４９】
また、第１受発光一体型素子２１の第１光軸３０と、第２受発光一体型素子２２の第２光軸３２との成す角度θ１が、前述した約２０度と異なる角度に設定されるとき、立上ミラー３３の第２反射面３５を、新たな角度で設けられる第２受発光一体型素子２２から出射される第２光３１に対応する反射角度を有するように、たとえば仮想線にて示す第２反射面３５ａに形成することによって、第２光３１を対物レンズ２３に導くことができる。
【００５０】
このように、第１受発光一体型素子２１の第１光軸３０と、第２受発光一体型素子２２の第２光軸３２との成す角度θ１に対応し、第１および第２光２９，３１を好適な角度でそれぞれ反射して対物レンズ２３へ入射させることができるように第１および第２反射面３４，３５を形成することによって、ひずみ無く光記録媒体２８の情報記録面へ光を導くことのできる複数反射面を有する立上ミラー３３が実現される。
【００５１】
図３は、本発明の実施の第３形態である光ピックアップ装置４０の構成を簡略化して示す平面図である。本実施の形態の光ピックアップ装置４０は、実施の第１形態の光ピックアップ装置２０に類似し、対応する部分については同一の参照符号を付して説明を省略する。
【００５２】
光ピックアップ装置４０は、第１受発光一体型素子２１の第１光軸３０に関して、第２受発光一体型素子２２および第２コリメートレンズ２６とほぼ線対称の位置に、第３受発光一体型素子４１と第３コリメートレンズ４２とを備える。第３受発光一体型素子４１は、第３受発光一体型素子４１から出射される第３光４３の第３光軸４４が、第１受発光一体型素子２１の第１光軸３０に対して成す角度が、−４５度以上−５度以下（本実施の形態では約−２０度）になるように設けられる。
【００５３】
第１〜第３受発光一体型素子２１，２２，４１として用いられる光の波長は、特に限定されないけれども、好ましくは、第１受発光一体型素子２１に波長４０５ｎｍの青紫色レーザ、第２受発光一体型素子２２に波長６５０ｎｍの赤色レーザ、第３受発光一体型素子４１に波長７８０ｎｍの赤外レーザが用いられる。
【００５４】
また光ピックアップ装置４０においても、立上ミラー２４に代えて、第１〜第３受発光一体型素子２１，２２，４１からそれぞれ出射される第１〜第３光２９，３１，４３を、好適な角度でそれぞれ反射して対物レンズ２３へ導く３つの反射面を有する多反射面立上ミラーが用いられてもよい。
【００５５】
図４は、本発明の実施の第４形態である光ピックアップ装置５０の構成を簡略化して示す平面図である。本実施の形態の光ピックアップ装置５０は、実施の第１形態の光ピックアップ装置２０に類似し、対応する部分については同一の参照符号を付して説明を省略する。
【００５６】
光ピックアップ装置５０は、第１または第２受発光一体型素子２１，２２のうち、いずれから光が出射されているかを検出する出射光源検出手段５１と、第１および第２受発光一体型素子２１，２２が装着される一仮想平面に平行な平面内で立上ミラー２４を、立上ミラー２４における光軸の反射点をとおり前記平面に対して垂直に延びる軸線５２のまわりに角変位移動させる角変位駆動手段５３と、出射光源検出手段５１の検出出力に応答し、立上ミラー２４に形成される光反射面２４ａが、第１または第２受発光一体型素子２１，２２から出射される光を反射して対物レンズ２３（図４では図示を省略）へ導くことができるように角変位駆動手段５３の動作を制御する角変位動作制御手段５４とを含むことを特徴とする。
【００５７】
本実施の形態では、出射光源検出手段５１として、第１受発光一体型素子２１と第１コリメートレンズ２５との間に設けられて、第１受発光一体型素子２１から第１コリメートレンズ２５に向けて出射される第１光２９の有効光束領域外の光を受光するフロントモニタ受光素子が用いられる。このようなフロントモニタ用受光素子５１は、一般的に、光源から出射される光の出力を制御するための信号検出に用いるべく設けられているので、出射光源検出手段５１として兼用することができる。
【００５８】
本実施の形態では、フロントモニタ用受光素子５１が、第１受発光一体型素子２１の出射光を検出する位置に設けられるので、詳細を後述する角変位動作制御手段５４は、フロントモニタ用受光素子５１が受光検出しているとき、出射光源が第１受発光一体型素子２１であると判断し、フロントモニタ用受光素子５１が受光検出していないとき、出射光源が第２受発光一体型素子２２であると判断する。
【００５９】
なお、フロントモニタ用受光素子５１は、第２受発光一体型素子２２の出射光を検出する位置に設けられる構成であってもよく、また第１および第２受発光一体型素子２１，２２の出射光をそれぞれ検出する位置に２個が設けられる構成であってもよい。
【００６０】
このように、本実施の形態では、出射光源検出手段は、フロントモニタ用受光素子であるけれども、これに限定されることなく、光源からコリメートレンズに向うのと反対側の方向に出射される光を検出するバックモニタ用受光素子であってもよい。
【００６１】
角変位駆動手段５３は、回転ステージ５５と、電動機５６と、電動機５６の出力軸に装着されるギヤ列５７とを含んで構成される。回転ステージ５５は、金属または硬質の樹脂から成り、円板状に形成され、円板の外周部には歯５８が刻設される。回転ステージ５５は、ハウジング２７の第１および第２受発光一体型素子２１，２２が装着される面上に、前述の軸線５２まわりに回転自在なように設けられる。立上ミラー２４は、この回転ステージ５５上に、回転ステージ５２と軸線５２を共有して装着される。
【００６２】
電動機５６は、回転ステージ５５が装着されるハウジング２７の面上に、その出力軸に装着されるギヤ列５７が、回転ステージ５５の外周部に刻設される歯５８と噛合するように設けられる。このことによって、電動機５６が回転駆動するとき、その回転駆動力が、出力軸に装着されるギヤ列５７を介して回転ステージ５５へ伝えられるので、回転ステージ５５すなわち回転ステージ５５上の立上ミラー２４が軸線５２まわりに角変位移動することができる。
【００６３】
角変位動作制御手段５４は、中央処理回路（略称ＣＰＵ）または大規模集積回路（略称ＬＳＩ）などによって実現される処理回路である。角変位動作制御手段５４は、フロントモニタ用受光素子５１が受光検出するとき、第１受発光一体型素子２１が光の出射源であると判断し、立上ミラー２４の反射面２４ａが、第１受発光一体型素子２１に正対する位置になるように、電動機５６の回転動作を制御し、フロントモニタ用受光素子５１が受光検出しないとき、第２受発光一体型素子２２が光の出射源であると判断し、立上ミラー２４の反射面２４ａが、第２受発光一体型素子２２に正対する位置になるように、電動機５６の回転動作を制御する。
【００６４】
なお、電動機５６および角変位動作制御手段５４の動作用電力は、光ピックアップ装置５０を動作させるための電源から供給される。
【００６５】
光ピックアップ装置５０では、立上ミラー２４を軸線５２まわりに角度θ１だけ角変位させることによって、第１および第２受発光一体型素子２１，２２から出射される第１および第２光２９，３１を、立上ミラー２４の好適反射位置へそれぞれ入射させることができるので、各光をひずみ無く光記録媒体の情報記録面に集光することが可能になり、装置の記録／再生特性が向上する。
【００６６】
図５は、本発明の実施の第５形態である光ピックアップ装置６０の構成を簡略化して示す平面図である。本実施の形態の光ピックアップ装置６０は、実施の第４形態の光ピックアップ装置５０に類似し、対応する部分については同一の参照符号を付して説明を省略する。
【００６７】
本実施の形態の光ピックアップ装置６０は、角変位駆動手段６１に特徴を有する。角変位駆動手段６１は、回転ステージ６２と、回転ステージ６２の外周の予め定める部分に装着される磁石部材６３と、電磁石部材６４とを含んで構成される。
【００６８】
回転ステージ６２は、実施の第４形態と同様に、ハウジング２７の第１および第２受発光一体型素子２１，２２が装着される面上に、軸線５２まわりに回転自在なように設けられる。
【００６９】
電磁石部材６４は、回転ステージ６２が装着されるハウジング２７の面上に、回転ステージ６２に装着される磁石部材６３を臨むようにして設けられる。この電磁石部材６４に直流電流が通電され、その直流電流の向きに応じて電磁石部材６４が磁石部材６３を誘引または反発するので、磁石部材６３の装着された回転ステージ６２が、軸線５２まわりに角変位移動することができる。
【００７０】
なお、電磁石部材６４と磁石部材６３との間で発生する誘引力および反発力にバランスすることのできるばね定数を有するコイルばね部材を予め準備し、そのコイルばね部材を回転ステージ６２の外周の接線方向に平行になるように配置し、コイルばね部材の一端を回転ステージ６２に固定し、他端をハウジング２７に固定することによって、前記誘引力または反発力とコイルばね部材の弾発力とがバランスし、回転ステージ６２の角変位量が所望の角度θ１になるように調整することができる。
【００７１】
本実施の形態では、角変位動作制御手段５４には、フロントモニタ用受光素子５１が受光検出するとき、第１受発光一体型素子２１が光の出射源であると判断し、立上ミラー２４の反射面２４ａが、第１受発光一体型素子２１に正対する位置になるように、電磁石部材６４が回転ステージ６２に装着される磁石部材６３を誘引する方向に直流電流を通電し、フロントモニタ用受光素子５１が受光検出しないとき、第２受発光一体型素子２２が光の出射源であると判断し、立上ミラー２４の反射面２４ａが、第２受発光一体型素子２２に正対する位置になるように、電磁石部材６４が回転ステージ６２に装着される磁石部材６３を反発する方向に直流電流を通電するように制御する。
【００７２】
この光ピックアップ装置６０によれば、実施の第４形態の光ピックアップ装置５０と同様の効果を奏することができる。
【００７３】
図６は、本発明の実施の第６形態である光ピックアップ装置７０の構成を簡略化して示す平面図である。本実施の形態の光ピックアップ装置７０は、実施の第４形態の光ピックアップ装置５０に類似し、対応する部分については同一の参照符号を付して説明を省略する。
【００７４】
本実施の形態の光ピックアップ装置７０は、第１および第２受発光一体型素子２１，２２のうち、いずれから光が出射されているかを検出する出射光源検出手段５１と、第１および第２受発光一体型素子２１，２２と第１および第２コリメートレンズ２５，２６とが装着される基板７１と、第１および第２受発光一体型素子２１，２２が設けられる一仮想平面に平行な平面内で前記基板７１を、立上ミラー２４における光軸の反射点をとおり前記平面に対して垂直に延びる軸線５２まわりに周回移動させる周回駆動手段７２と、出射光源検出手段５１の検出出力に応答し、第１または第２受発光一体型素子２１，２２から出射される光を立上ミラー２４へ入射し、対物レンズへ導くことができるように周回駆動手段７２の動作を制御する周回動作制御手段７３とを含んで構成される。
【００７５】
出射光源検出手段５１は、実施の第４形態と同一のフロントモニタ用受光素子で構成される。基板７１は、金属また硬質樹脂製の扇型形状を有する板部材である。光ピックアップ装置７０では、第１および第２受発光一体型素子２１，２２と第１および第２コリメートレンズ２５，２６と出射光源検出手段５１とが、基板７１上に装着される。この基板７１は、ハウジング７４上に敷設される不図示の周回軌道に、摺動可能に係合されて設けられる。また扇形を有する基板７１の要相当部分は、ハウジング７４と立上ミラー２４との間に挿入され、前記軸線５２部分において、角変位移動可能に軸支される。
【００７６】
周回駆動手段７２は、電動機５６と、電動機５６の出力軸に装着されるギヤ列５７と、基板７１とを含んで構成される。基板７１には、扇形の円周部分に歯７５が刻設され、前記ギヤ列５７が、歯７５と噛合するように電動機５６が設けられる。このことによって、電動機５６が回転駆動するとき、その回転駆動力が、出力軸に装着されるギヤ列５７を介して基板７１へ伝えられるので、基板７１が、周回軌道に案内されて軸線５２まわりに周回移動することができる。
【００７７】
周回動作制御手段７３は、前述の実施の第４形態における角変位動作制御手段５４と同様に構成される。周回動作制御手段７３は、フロントモニタ用受光素子５１が受光検出するとき、第１受発光一体型素子２１が光の出射源であると判断し、第１受発光一体型素子２１が立上ミラー２４の反射面２４ａに正対する位置になるように、電動機５６の回転動作を制御し、フロントモニタ用受光素子５１が受光検出しないとき、第２受発光一体型素子２２が光の出射源であると判断し、第２受発光一体型素子２２が立上ミラー２４の反射面２４ａに正対する位置になるように、電動機５６の回転動作を制御する。
【００７８】
図７は、本発明の実施の第７形態である光ピックアップ装置８０の構成を簡略化して示す平面図である。本実施の形態の光ピックアップ装置８０は、実施の第６形態の光ピックアップ装置７０に類似し、対応する部分については同一の参照符号を付して説明を省略する。
【００７９】
本実施の形態の光ピックアップ装置８０は、基板８１が円環状に形成され、基板８１には第１および第２受発光一体型素子２１，２２と出射光源検出手段５１とが装着され、コリメートレンズが基板８１上ではなく、ハウジング７４上に装着され、かつコリメートレンズが第１コリメートレンズ２５の１個で構成されることを特徴とする。したがって、光ピックアップ装置８０では、１個の第１コリメートレンズ２５で、第１および第２受発光一体型素子２１，２２からそれぞれ出射される光を平行光にすることができるので、部品点数を削減することができる。
【００８０】
なお、実施の第６および第７形態の光ピックアップ装置７０，８０は、いずれも実施の第４形態の光ピックアップ装置５０と同様の効果を奏することができる。
【００８１】
図８は、本発明の実施の第８形態である光ピックアップ装置９０の構成を簡略化して示す平面図である。本実施の形態の光ピックアップ装置９０は、実施の第１形態の光ピックアップ装置２０に類似し、対応する部分については同一の参照符号を付して説明を省略する。
【００８２】
光ピックアップ装置９０は、対物レンズ２３が保持されるアクチュエータ９１と、対物レンズ２３のレンズ軸９２が光記録媒体の情報記録面に対する傾斜角度を変更するようにアクチュエータ９１を傾動させる傾動手段と、第２受発光一体型素子２２から出射される第２光３１の収差を検出する収差検出手段と、収差検出手段の検出出力に応答し、第２受発光一体型素子２２から出射される第２光３１の収差を小さくするように傾動手段の動作を制御する傾動動作制御手段９３とを含んで構成される。
【００８３】
アクチュエータ９１には、図示を省くけれども、対物レンズ２３を、Ｙ（ラジアル）方向に移動させるトラッキング機構と、光記録媒体の情報記録面に対して近接離反するように移動させるフォーカシング機構とが備えられる。
【００８４】
フォーカシング機構は、対物レンズ２３を保持する保持部材を対物レンズ２３とともに支持するたとえばサスペンションワイヤなどの弾性部材と、磁石部材とコイル部材とを含み、コイル部材に通電することによって発生する電磁力が磁石部材の磁力と誘引／反発することを利用し、対物レンズ２３を光記録媒体の情報記録面に対して近接離反するように移動させる。
【００８５】
本実施の形態における傾動手段は、フォーカシング機構を利用するものであり、磁石部材とコイル部材との組合せを複数組で構成し、コイル部材に対する通電電流値の大きさまたは通電電流の極性を、前記組合せの１組毎に調整することによって、対物レンズ２３のレンズ軸９２が、光記録媒体の情報記録面に対して形成する傾斜角度を変更する。
【００８６】
第２受発光一体型素子２２から出射される第２光３１の収差を検出する収差検出手段は、第２受発光一体型素子２２に備えられる受光素子によって実現される。
【００８７】
傾動動作制御手段９３は、ＣＰＵまたはＬＳＩなどによって実現される処理回路である。以下、傾動動作制御手段９３の制御動作について説明する。
【００８８】
まず、収差検出手段によって検出される初期収差値が、傾動動作制御手段９３に与えられる。初期収差値が入力されるとき、傾動動作制御手段９３は、傾動手段を予め定める方向に傾動動作させる。傾動手段の傾動動作後に収差検出手段によって検出される今回収差値が、傾動動作制御手段９３に与えられる。今回収差値が前回（初期）収差値に比べて小さい（減少する）とき、傾動動作制御手段９３は、傾動手段の傾動動作を継続させるように動作指令を出力する。今回収差値の検出と、前回収差値との比較とを繰返し、今回収差値が前回収差値以上になるとき、傾動動作制御手段９３は、前回収差値を与える傾動位置が最良値と判断し、該最良の傾動位置へ傾動手段を動作させて傾動動作を停止する動作指令を出力する。
【００８９】
一方、傾動手段の傾動動作後に収差検出手段によって検出される今回（便宜上第２回と呼ぶ）収差値が、初期（前回）収差値に比べて大きい（増加する）とき、今回（第２回）の傾動手段の傾動方向と逆方向に傾動手段を傾動させるように動作指令を出力する。逆方向の傾動によって、今回（便宜上第３回と呼ぶ）収差値が第２回収差値よりも減少すれば、前述と同様の動作制御を実行する。しかしながら、逆方向に傾動動作させることによって検出される第３回収差値が、第２回収差値よりも増加するとき、傾動動作制御手段９３は、初期収差値、第２回収差値および第３回収差値と、３回検出した収差値の算術平均値を演算し、該平均値に応じた傾動位置になるように傾動手段を動作させて傾動動作を停止する動作指令を出力する。
【００９０】
このことによって、第２受発光一体型素子２２から出射される第２光の収差を小さくすることができる。
【００９１】
なお、本実施の形態の光ピックアップ装置９０では、波長が短い方の光を出射する受発光一体型素子を、第１受発光一体型素子２１として、その第１光軸３０がＸ（タンジェンシャル）方向に平行になるように配置し、波長が長い方の光を出射する受発光一体型素子を、第２受発光一体型素子２２として、その第２光軸３２が第１光軸３０に対して角度θ１を成すように配置する。これは、波長の短い光の方が収差を生じやすいので、できる限り収差の発生を抑制することができるように、第１受発光一体型素子２１を立上ミラー２４の反射面２４ａに正対する位置に配置するものである。
【００９２】
以上に述べたように、本発明の実施の形態では、光源は、受発光一体型素子であるけれども、これに限定されることなく、半導体レーザチップなどの発光素子と受光素子とが別体からなる受発光分離型であってもよい。
【図面の簡単な説明】
【００９３】
【図１】本発明の実施の一形態である光ピックアップ装置２０の構成を簡略化して示す平面図である。
【図２】本発明の実施の第２形態である光ピックアップ装置に備わる立上ミラー３３を示す斜視図である。
【図３】本発明の実施の第３形態である光ピックアップ装置４０の構成を簡略化して示す平面図である。
【図４】本発明の実施の第４形態である光ピックアップ装置５０の構成を簡略化して示す平面図である。
【図５】本発明の実施の第５形態である光ピックアップ装置６０の構成を簡略化して示す平面図である。
【図６】本発明の実施の第６形態である光ピックアップ装置７０の構成を簡略化して示す平面図である。
【図７】本発明の実施の第７形態である光ピックアップ装置８０の構成を簡略化して示す平面図である。
【図８】本発明の実施の第８形態である光ピックアップ装置９０の構成を簡略化して示す平面図である。
【図９】規格の異なる２種類の光記録媒体に対して互換可能な従来の光ピックアップ装置１の構成を簡略化して示す側面図である。
【図１０】図９に示す従来の光ピックアップ装置１の平面図である。
【符号の説明】
【００９４】
２０，４０，５０，６０，７０，８０，９０  光ピックアップ装置
２１，２２，４１  受発光一体型素子
２３  対物レンズ  
２４，３３  立上ミラー
２５，２６，４２  コリメートレンズ
２７，７４  ハウジング
２８  光記録媒体
５１  出射光源検出手段
５２  軸線
５３  角変位駆動手段
５４  角変位動作制御手段
５５，６２  回転ステージ
５６  電動機
５７  ギヤ列
６３  磁石部材
６４  電磁石部材
７１，８１  基板
７２  周回駆動手段
７３  周回動作制御手段
９１  アクチュエータ
９２  レンズ軸  
９３  傾動動作制御手段
【図１】
2005259205.tif 000003
【図２】
2005259205.tif 000004
【図３】
2005259205.tif 000005
【図４】
2005259205.tif 000006
【図５】
2005259205.tif 000007
【図６】
2005259205.tif 000008
【図７】
2005259205.tif 000009
【図８】
2005259205.tif 000010
【図９】
2005259205.tif 000011
【図１０】
2005259205.tif 000012